(57)【要約】【課題】部屋の壁等の既設設備を破損することなく、部屋の間取りの変更、壁面デザインや内部構造の変更、壁補強、及び壁補修が可能であり、加えて部分的な壁面デザインの変更、壁補強、及び壁補修も可能な壁体ユニットを提供することを目的とする。【解決手段】本発明を適用したパネル壁１は、所定のユニット枠体１０と、ユニット枠体１０の枠体前面１０ａの近傍に配置されると共に、互いに分離可能な複数のパネル部材１６、１７、１８、１９を左右方向に並設して構成されるパネル体１３と、ユニット枠体１０を、天井壁５、床壁６間に、既設設備を破損することなく取付け取外し可能に配置する取付け機構９と、ユニット枠体１０とパネル体１３間に介設されると共に、ユニット枠体１０からのパネル体１３の着脱を可能にする連結機構１４とを備えたものである。【選択図】図１
2017218736.tif 000002
【特許請求の範囲】
【請求項１】
所定のユニット枠体と、
該ユニット枠体の側面の近傍に配置されると共に、互いに分離可能な複数のパネル部材を所定方向に並設して構成されるパネル体と、
前記ユニット枠体を、壁間に、既設設備を破損することなく取付け取外し可能に配置する取付け機構と、
前記ユニット枠体とパネル体間に介設されると共に、前記ユニット枠体からのパネル体の着脱を可能にする連結機構とを備える
壁体ユニット。
【請求項２】
一側面が、前記ユニット枠体の側面に固着されることにより、該ユニット枠体からの前記連結機構がパネル体まで挿通する連結隙間が形成されると共に、他側面に、前記パネル体のパネル部材の内側面が当接支持される板状の下地体を備える
請求項１に記載の壁体ユニット。
【請求項３】
前記取付け機構は、
前記壁側に取り付けた壁側部材とユニット枠体側に取り付けたユニット側部材との間に配置された軸体を伸長させることにより、前記ユニット枠体を壁間に突張り支持する支持構造を有する
請求項１または請求項２に記載の壁体ユニット。
【請求項４】
前記取付け機構は、
前記ユニット枠体と壁との間に圧縮状態で介設することにより、前記壁からの振動を吸収しつつユニット枠体を壁間に支持する防振部材を有する
請求項１または請求項２に記載の壁体ユニット。
【請求項５】
前記防振部材の少なくとも一つは、
前記壁の壁面に直交しつつ連結機構上を通過するライン上またはライン近傍に配置される
請求項４に記載の壁体ユニット。
【請求項６】
前記ユニット枠体は、
前記連結機構の少なくとも一部を配設するための配置機能と、前記パネル体の外側からユニット枠体の内側にかけて内蔵部材を挿入して収納するための収納機能とを兼備する多機能空間を有する
請求項１または請求項２に記載の壁体ユニット。
【請求項７】
前記連結機構は、
前記ユニット枠体と、前記パネル部材で互いに平行な一対の辺縁部のうちの一辺縁部との間に介設されると共に、該一辺縁部を前記ユニット枠体に回動可能かつ着脱可能に連結するヒンジ具と、
該ヒンジ具に対向するように、前記ユニット枠体と、前記一辺縁部を有するパネル部材の他辺縁部との間に介設されると共に、該他辺縁部を前記ユニット枠体に着脱可能に連結する係止具とを有する
請求項１または請求項２に記載の壁体ユニット。
【請求項８】
前記取付け機構は、
前記ユニット枠体と壁との間に圧縮状態で介設することにより、前記壁からの振動を吸収しつつユニット枠体を壁間に支持すると共に、前記壁の壁面に直交しつつ、前記ヒンジ具、係止具の少なくとも一方を通過するライン上またはライン近傍に配置される防振部材を有する
請求項７に記載の壁体ユニット。
【発明の詳細な説明】
【技術分野】
【０００１】
本発明は、部屋の壁を形成可能な壁体ユニットに関する。詳しくは、部屋の壁等の既設設備を破損することなく、部屋の間取りの変更、壁面デザインや内部構造の変更、壁補強、及び壁補修が可能であり、加えて部分的な壁面デザインの変更、壁補強、及び壁補修も可能な壁体ユニットに係わるものである。
【背景技術】
【０００２】
従来より、建造物においては、既設の側壁、天井壁、床壁など（以下、「外周壁」とする）に対し、ユーザーの要望に応じて、クロス、木、塗装、化粧合板等の装飾部材の使用、壁の形状、構造の変更等によって、壁の形状、構造、色彩を含む壁面デザインを変更したり、配線や装置等の内蔵部材を挿入して収納できるように内部構造に変更したり、壁面への家具、棚板、壁掛けテレビ、照明等の取り付けに必要な強度を確保するために壁を補強したり、壁で破損した箇所を補修したりする場合には、既設の外周壁を取り外した後に、前述した壁面デザインや内部構造の変更、壁補強、及び壁補修を施した板状の仕切り部材（以下、「パネル体」とする）を取り付けるようにしていた。
【０００３】
また、建造物内で部屋を複数に仕切るための間仕切り壁においては、天井壁と床壁にビス止めで固定した上下の横部材の間に縦部材を介装して取付部材が形成されており、この取付部材の側面に前述のパネル体をビス止めで固定した後、ビス止め部分の凹みをパテ等で平坦に仕上げ、その上に装飾部材を固着するようにしていた。このため、間仕切り壁に対し、部屋の間取りの変更、壁面デザインや内部構造の変更、壁補強、及び壁補修を施す場合には、パテ等で覆われたビスの取り外しに手間がかかることから、元のパネル体は壊して取り外すようにしていた。
【０００４】
そこで、天井壁と床壁にビス止めで固定した取付部材の中の横部材に、パネル体の上下端部を着脱可能に差し込み固定するための差込溝を設けると共に、取付部材の中の縦部材に、パネル体をこの縦部材の表面に接着するための両面接着テープを貼着するようにして、取付部材からのパネル体の着脱作業を容易とし、間仕切り壁で元のパネル体を壊さずに再利用可能とする技術が公知となっており（例えば、特許文献１参照）。
【先行技術文献】
【特許文献】
【０００５】
【特許文献１】特開２００７−２６２８２３号公報
【発明の概要】
【発明が解決しようとする課題】
【０００６】
しかしながら、部屋の間取りの変更、壁面デザインや内部構造の変更、壁補強、及び壁補修を施すにあたって、外周壁では、やはり既設の外周壁を壊してから取り外すと共に、パネル体をビス等で所定位置に固定する必要があり、間仕切り壁であっても、前述の技術によりパネル体は壊さないようにできるものの、取付部材を天井壁と床壁にビス止めで固定する必要がある。このため、外周壁、間仕切り壁のいずれの場合も、既設の外周壁、間仕切り壁、周囲の枠組み等を含む設備（以下、「既設設備」とする）の破損が避けられないことから、賃貸物件のように部屋の勝手な改装、改修ができない場合は、部屋の間取りの変更、壁面デザインや内部構造の変更、壁補強、及び壁補修が非常に困難となる。
【０００７】
更に、たとえ部屋の改装、改修ができる場合であっても、前述のパネル体は一体物であるため、部分的に壁面デザインや内部構造の変更、壁補強、及び壁補修を施す際も、パネル体全部を交換する必要がある。このため、改装、改修コストが増加すると共に、作業負荷の増大によって作業性が悪化する。
【０００８】
本発明は、以上の点に鑑みて創案されたものであり、部屋を壁等の既設設備を破損することなく、部屋の間取りの変更、壁面デザインや内部構造の変更、壁補強、及び壁補修が可能であり、加えて部分的な壁面デザインや内部構造の変更、壁補強、及び壁補修も可能な壁体ユニットを提供することを目的とする。
【課題を解決するための手段】
【０００９】
上記の目的を達成するために、本発明の壁体ユニットは、所定のユニット枠体と、ユニット枠体の側面の近傍に配置されると共に、互いに分離可能な複数のパネル部材を所定方向に並設して構成されるパネル体と、ユニット枠体を、壁間に、既設設備を破損することなく取付け取外し可能に配置する取付け機構と、ユニット枠体とパネル体間に介設されると共に、ユニット枠体からのパネル体の着脱を可能にする連結機構とを備えている。
【００１０】
そして、所定のユニット枠体と、ユニット枠体の側面の近傍に配置されると共に、互いに分離可能な複数のパネル部材を所定方向に並設して構成されるパネル体とを備えることによって、改装、改修コストが低減すると共に、組み付けや撤去時の作業性が向上する。すなわち、パネル体が複数のパネル部材に分けられるため、これらのパネル部材のうち、少なくとも、壁面デザインや内部構造の変更、壁補強、及び壁補修を要するパネル部材を、ユニット枠体から着脱可能にしておくことで、対象となるパネル部材のみを交換することができ、パネル体全体の交換が不要になる。加えて、壁体ユニットの部屋内での組み付けや撤去は、軽いパネル部材に分けて行うことができるため、組み付け作業や撤去作業等の作業負荷を軽減することができる。
【００１１】
更に、ユニット枠体を、壁間に、既設設備を破損することなく取付け取外し可能に配置する取付け機構を備えることによって、賃貸物件のように部屋の勝手な改装、改修ができない場合であっても、部屋の間取りの変更、壁面デザインや内部構造の変更、壁補強、及び壁補修を容易に行うことができる。すなわち、このような取付け機構によって壁間にユニット枠体を介設することで、既設設備を破損することなく、このユニット枠体を介して壁体ユニットを既設の外周壁や仕切り壁の前面に配置し、既設の壁を異なる壁面デザインや内部構造、高い強度等を有する壁に変更することができ、また、壁体ユニットを部屋内に組み付けて、希望する壁面デザイン、内部構造、強度等を有する間仕切りを新たに設けることができる。加えて、必要に応じて壁間からユニット枠体を取り外すことで、既設設備を破損することなく、設置済みの壁体ユニットを、既設の外周壁や仕切り壁の前面や部屋内から撤去したり、新たな壁体ユニットに交換したりすることができる。
【００１２】
加えて、ユニット枠体とパネル体間に介設されると共に、ユニット枠体からのパネル体の着脱を可能にする連結機構を備えることによって、改装、改修コストの低減、組み付けや撤去時の作業性の向上を確実に図ることができる。すなわち、パネル体を構成するパネル部材のうち、少なくとも、壁面デザインや内部構造の変更、壁補強、及び壁補修を要するパネル部材と、ユニット枠体との間に、連結機構を介設しておくことで、対象となるパネル部材のみの着脱が可能になると共に、壁体ユニットの部屋内での組み付けや撤去を軽いパネル部材に分けて行うことができる。
【００１３】
また、一側面が、ユニット枠体の側面に固着されることにより、ユニット枠体からの連結機構がパネル体まで挿通する連結隙間が形成されると共に、他側面に、パネル体のパネル部材の内側面が当接支持される板状の下地体を備える場合には、連結機構が下地体を跨ぐようにしてユニット枠体とパネル体間に介設された状態で、パネル体のパネル部材の内側面を下地体の表面に沿わせることができる。これにより、連結構造を保持しつつ、反りや歪を極力抑えた状態でパネル部材をユニット枠体に装着することができ、パネル部材が木材等のように水分の吸湿や乾燥などによる反り等が生じる素材であっても、パネル部材を並設したパネル体の平坦性を向上させ、壁体ユニットの意匠性を高めることができる。
【００１４】
また、取付け機構が、壁側に取り付けた壁側部材とユニット枠体側に取り付けたユニット側部材との間に配置された軸体を伸長させることにより、ユニット枠体を壁間に突張り支持する支持構造を有する場合には、天井壁、床壁のような壁側に取り付け用の溝や係止部を予め設ける必要がなく、しかも、軸体を伸縮するだけの簡単な構造と操作で、ユニット枠体を壁間に取り付け、取り外しすることができる。これにより、既設設備を破損することなく、壁体ユニットの組み付け、撤去を低コストで迅速に行うことができ、製造コストの低減と組み付けや撤去作業の作業性向上を図ることができる。
【００１５】
また、取付け機構が、ユニット枠体と壁との間に圧縮状態で介設することにより、壁からの振動を吸収しつつユニット枠体を壁間に支持する防振部材を有する場合には、防振構造を防振部材として取付け機構内に一体的に組み込むことができ、部品数の低減による部品コストの低減とメンテナンス性の向上を図ることができる。
【００１６】
また、防振部材の少なくとも一つが、壁の壁面に直交しつつ連結機構上を通過するライン上またはライン近傍に配置される場合は、壁からの振動が連結機構に伝達される前に、この振動を防振部材に予め吸収させることができ、連結機構に作用する振動負荷を軽減し、地震による連結機構の激しい損傷を防止することができる。
【００１７】
また、ユニット枠体が、連結機構の少なくとも一部を配設するための配置機能と、パネル体の外側からユニット枠体の内側にかけて内蔵部材を挿入して収納するための収納機能とを兼備する多機能空間を有する場合には、壁体ユニットに複雑な構造を設けることなく、連結機構と配線や装置等の内蔵部材を共通の空間に配置することができ、壁体ユニットの製造コストの低減やメンテナンス性の向上を図ることができる。
【００１８】
また、連結機構が、ユニット枠体と、パネル部材で互いに平行な一対の辺縁部のうちの一辺縁部との間に介設されると共に、一辺縁部をユニット枠体に回動可能かつ着脱可能に連結するヒンジ具と、ヒンジ具に対向するように、ユニット枠体と、一辺縁部を有するパネル部材の他辺縁部との間に介設されると共に、他辺縁部をユニット枠体に着脱可能に連結する係止具とを有する場合には、パネル部材の他辺縁部を、係止具を介してユニット枠体から係脱した後、一辺縁部のヒンジ具を中心にしてパネル部材を開方向に回転し、その後、同パネル部材をヒンジ具を介して外方に引き出すことができる。これにより、複雑な構造を設けることなく、ヒンジ具と係止具のみから成る簡単な構成で、ユニット枠体からの所定のパネル部材の着脱が可能となり、部品コストの低減やメンテナンス性の向上を図ることができる。
【００１９】
また、取付け機構が、ユニット枠体と壁との間に圧縮状態で介設することにより、壁からの振動を吸収しつつユニット枠体を壁間に支持すると共に、壁の壁面に直交しつつ、ヒンジ具、係止具の少なくとも一方を通過するライン上またはライン近傍に配置される防振部材を有する場合には、防振構造を防振部材として取付け機構内に一体的に組み込むことができ、部品数の低減による部品コストの低減とメンテナンス性の向上を図ることができる。更には、壁からの振動がヒンジ具や係止具に伝達される前に、この振動を防振部材に予め吸収させることができ、ヒンジ具や係止具に作用する振動負荷を軽減し、地震によるヒンジ具や係止具の激しい損傷を防止することができる。
【発明の効果】
【００２０】
本発明に係わる壁体ユニットは、部屋の壁等の既設設備を破損することなく、部屋の間取りの変更、壁面デザインや内部構造の変更、壁補強、及び壁補修が可能であり、加えて部分的な壁面デザインの変更、壁補強、及び壁補修も可能なものとなっている。
【図面の簡単な説明】
【００２１】
【図１】本発明に係わるパネル壁の全体構成を示す斜視図である。
【図２】パネル壁の組み付け作業の前半の手順を示す説明図であって、図２（ａ）は天井壁と床壁間に突張り支持されたユニット枠体の正面図、図２（ｂ）は枠体前面に下地体が固着されたユニット枠体の正面図である。
【図３】パネル壁の組み付け作業の後半の手順を示す説明図であって、図３（ａ）はユニット枠体にパネル部材が装着途中にあるパネル壁の正面図、図３（ｂ）はユニット枠体にパネル部材が装着完了したパネル壁の正面図である。
【図４】摺動フレームが外部からガイドフレームに摺動して係合された連結機構周囲の構造を示す断面図である。
【図５】連結機構の構造を示す平面断面図であって、図５（ａ）はパネル部材の水平回動途中の連結機構周囲の平面断面図であり、図５（ｂ）は図３（ｂ）のＸ−Ｘ矢視断面図である。
【図６】ユニット枠体に固定された突張り固定具周囲から床壁までの正面一部断面図である。
【図７】別形態のパネル壁の組み付け作業の前半の手順を示す説明図であって、図７（ａ）は天井壁と床壁間に突張り支持されたユニット枠体の正面図、図７（ｂ）は枠体前面に下地体が固着されたユニット枠体の正面図である。
【図８】別形態のパネル壁の組み付け作業の後半の手順を示す説明図であって、図８（ａ）はユニット枠体にパネル部材が装着途中にあるパネル壁の正面図、図８（ｂ）はユニット枠体にパネル部材が装着完了したパネル壁の正面図である。
【発明を実施するための形態】
【００２２】
以下、壁体ユニットに関する本発明の実施の形態について、図面を参照しながら説明し、本発明の理解に供する。
なお、図１の矢印Ｆ、Ｔ、Ｌで示す方向を、それぞれ前方、上方、左方とし、以下で述べる各部の位置や方向等はこの前方、上方、左方を基準とするものである。
【００２３】
まず、本発明を適用した壁体ユニットの一例であるパネル壁１の全体構成について、図１、図２、図５により説明する。
【００２４】
パネル壁１は、住宅の部屋２内において、右側面が部屋２の右側壁３に当接すると共に、背面が部屋２の後側壁４と平行となるように、この後側壁４の前方において天井壁５と床壁６との間に立設支持されている。
【００２５】
そして、このようなパネル壁１は、壁の枠組みを構成する正面視矩形状のユニット枠体１０と、木目を施した化粧合板が表面に貼着された板状のパネル体１３と、前述のユニット枠体１０を天井壁５と床壁６との間に配置するための取付け機構９と、ユニット枠体１０の側面である枠体前面１０ａに固着されると共に、この枠体前面１０ａの前方でパネル体１３を支持する下地体１１と、ユニット枠体１０とパネル体１３との間に介設される連結機構１４とを備えている。そして、パネル体１３の前面１３ａには、テレビ２０を取り付けるための壁掛け金具２１が締結固定できるようにしている。
【００２６】
このうちのユニット枠体１０は、断面視矩形状の４本の横枠材３６と５本の縦枠材３７が格子状に組み合わされて構成されると共に、両枠材３６、３７により、正面視矩形状の内部空間１２が、縦３列横４列で計１２個形成されている。
【００２７】
また、下地体１１は、幅の異なる複数の矩形板１１ａ、１１ｂ、１１ｃ、１１ｄより構成され、これらは上から順に並設されている。そして、各矩形板１１ａ、１１ｂ、１１ｃ、１１ｄの一側面である後面１１ａ２、１１ｂ２、１１ｃ２、１１ｄ２が、長辺が左右方向となるようにして上下方向に所定の間隔を設けた上で、枠体前面１０ａに並列に固着されている。
【００２８】
更に、このような、矩形板１１ａと１１ｂ間、矩形板１１ｂと１１ｃ間、矩形板１１ｃと１１ｄ間には、それぞれ、前述の連結機構１４を設置するための連結隙間１５ａ、１５ｂ、１５ｃが形成されている。
【００２９】
また、パネル体１３は、枠体前面１０ａの前方にあって、互いに分離可能な複数の縦長矩形状のパネル部材１６、１７、１８、１９から成り、それぞれの左右の各辺縁部１６ｂ、１６ｃ、１７ｂ、１７ｃ、１８ｂ、１８ｃ、１９ｂ、１９ｃが上下方向となるように、左右方向に隙間なく並設されるようにして構成される。
【００３０】
そして、このようなパネル部材１６、１７、１８、１９の内側面１６ａ、１７ａ、１８ａ、１９ａが、下地体１１を構成する矩形板１１ａ、１１ｂ、１１ｃ、１１ｄの他側面である前面１１ａ１、１１ｂ１、１１ｃ１、１１ｄ１に、それぞれ当接支持されるようにしている。
【００３１】
これにより、パネル体１３は、複数のパネル部材１６、１７、１８、１９に分けられるため、少なくとも、壁面デザインや内部構造の変更、壁補強、及び壁補修を要するパネル部材を、ユニット枠体１０から着脱可能にしておくことで、対象となるパネル部材のみを交換することができ、パネル体１３全体の交換が不要になる。本実施例では、後述するように、全てのパネル部材１６、１７、１８、１９を、ユニット枠体１０から着脱可能にしている。加えて、パネル壁１の部屋２内での組み付けや撤去が、軽いパネル部材１６、１７、１８、１９に分けて行えるため、組み付け作業や撤去作業等の作業負荷を軽減することができる。
【００３２】
また、連結機構１４は、パネル部材１６、１７、１８、１９の各辺縁部１６ｂ、１６ｃ、１７ｂ、１７ｃ、１８ｂ、１８ｃ、１９ｂ、１９ｃから、連結隙間１５ａ、１５ｂ、１５ｃを通ってユニット枠体１０まで延設されている。
【００３３】
そして、このような連結機構１４により、後述するように、ユニット枠体１０からのパネル部材１６、１７、１８、１９毎の着脱を可能としている。
【００３４】
これにより、パネル体１３を構成するパネル部材１６、１７、１８、１９のうち、少なくとも、壁面デザインや内部構造の変更、壁補強、及び壁補修を要するパネル部材と、ユニット枠体１０との間に、連結機構１４を介設しておくことで、対象となるパネル部材のみの着脱が可能になる。本実施例では、前述の如く、全てのパネル部材１６、１７、１８、１９を着脱可能にすると共に、組み付けや撤去が、軽いパネル部材１６、１７、１８、１９に分けて行えるようにしている。
【００３５】
更に、連結機構１４が下地体１１を跨ぐようにしてユニット枠体１０とパネル体１３間に介設された状態で、パネル体１３の各パネル部材１６、１７、１８、１９の内側面１６ａ、１７ａ、１８ａ、１９ａを下地体１１の表面である前面１１ａ１、１１ｂ１、１１ｃ１、１１ｄ１に沿わせることができるため、連結構造１４を保持しつつ、反りや歪を極力抑えた状態でパネル部材１６、１７、１８、１９をユニット枠体１０に装着することができ、パネル部材１６、１７、１８、１９が木材等のように水分の吸湿や乾燥などによる反り等が生じる素材であっても、パネル部材１６、１７、１８、１９を並設したパネル体１３の平坦性を向上させ、パネル壁１の意匠性を高めることができる。
【００３６】
また、取付け機構９は、ユニット枠体１０の枠体上面１０ｃと天井壁５との間に介設される上取付部７と、ユニット枠体１０の枠体下面１０ｄと床壁６との間に介設される下取付部８とから構成される。そして、このような取付け機構９によって、後述するように、天井壁５と床壁６間に、ユニット枠体１０を、天井壁５と床壁６等の既設設備を破損することなく取付け取外し可能に配置することができる。
【００３７】
これにより、このユニット枠体１０を介してパネル壁１を既設の外周壁や仕切り壁の前面に配置し、既設の壁を異なる壁面デザインや内部構造、高い強度等を有する壁に変更することができ、また、パネル壁１を部屋２内に組み付けて、希望する壁面デザイン、内部構造、強度等を有する間仕切りを新たに設けることができる。加えて、必要に応じ、天井壁５と床壁６間からユニット枠体１０を取り外すことで、既設設備を破損することなく、設置済みのパネル壁１を、既設の外周壁や仕切り壁の前面や部屋２内から撤去したり、新たなパネル壁に交換したりすることができる。
【００３８】
次に、以上のパネル壁１の詳細構成について、図１乃至図６により説明する。
【００３９】
図１、図２、図３、図６に示すように、取付け機構９は、前述の如く、上下の取付部７、８により構成される。
このうちの上取付部７は、前述のユニット枠体１０の枠体上面１０ｃに設けた突張り固定具２２と、この突張り固定具２２上部のゲル状の弾性部材である防振盤２３が下面に当接される板状の介装部材２４と、この介装部材２４と天井壁５との間に介設されるゲル状の弾性部材である防振シート２５とを有している。
【００４０】
このうちの突張り固定具２２では、ユニット枠体１０の枠体上面１０ｃに、このユニット枠体１０側に取り付けたユニット側部材である平面視矩形状の固定プレート２６が、その四隅部分を釘２７によって固定され、この固定プレート２６の平面視略中央上面には、固定ナット２８が固設されている。そして、この固定ナット２８内のネジ孔２８ａと同一の軸心３４上に、固定プレート２６の平面視略中央に穿孔する中央孔２６ａと、ユニット枠体１０の横枠材３６を上下方向に貫通する摺動孔１０ｂとが、上から順に配置されている。
【００４１】
更に、この固定ナット２８のネジ孔２８ａには、調整ボルト３０の下部が回転自在に螺挿されると共に、調整ボルト３０でネジ孔２８ａよりも下方に突出した部分は、前述の中央孔２６ａから摺動孔１０ｂにかけて自在に摺動して伸縮できるようにしている。
【００４２】
一方、調整ボルト３０の上端までの途中部には、操作ナット３１が外嵌固定されて一体化されると共に、調整ボルト３０の上端には、天井壁５側に取り付けた壁側部材であって、上段が拡径した二段円盤状の台座盤３２が遊嵌されている。そして、この台座盤３２は、その下面３２ａが操作ナット３１の上面を摺動しながら、調整ボルト３０に対して相対回転できるようにしている。更に、固定ナット２８と操作ナット３１との間の調整ボルト３０上には、回り止めナット２９が螺嵌されている。
【００４３】
これにより、操作ナット３１を回転させると、この操作ナット３１に一体化されると共に、固定プレート２６と台座盤３２との間に配置された軸体である調整ボルト３０も、固定ナット２８のネジ孔２８ａ内を回転しながら上下方向に移動して伸縮する。この間、台座盤３２と防振盤２３は、介装部材２４の下面２４ａに当接された状態であっても、相対回転することはない。
【００４４】
下取付け部８では、ユニット枠体１０の枠体下面１０ｄと床壁６との間に、ゲル状の弾性部材である防振シート３５が介装されている。
【００４５】
このような構成において、まず、操作ナット３１を回動させて調整ボルト３０を一体的に回転し、調整ボルト３０を下方に移動して、固定プレート２６の上面から台座盤３２までの長さ（以下、「ボルト伸縮長」とする）３３を短縮した状態で、床壁６の上に敷いた防振シート３５の上に、ユニット枠体１０の下辺の横枠材３６を載置する。
【００４６】
続いて、上辺の横枠材３６に固定された突張り固定具２２を、ユニット枠体１０の枠体上面１０ｃと介装部材２４の下面２４ａとの間に配置した状態で、操作ナット３１を回転させて調整ボルト３０を上方に移動し、ボルト伸縮長３３を伸長させていくと、突張り固定具２２の台座盤３２によって、介装部材２４が天井壁５側に押圧されると同時に、突張り固定具２２の固定プレート２６によって、ユニット枠体１０の上辺の横枠材３６が床壁６側に押圧され、このような支持構造により、ユニット枠体１０が天井壁５と床壁６との間に突張り支持される。
【００４７】
このため、天井壁５、床壁６のような壁側に取り付け用の溝や係止部を予め設ける必要がなく、しかも、軸体である調整ボルト３０を伸縮するだけの簡単な構造と操作で、ユニット枠体１０を壁５、６間に取り付け、取り外しすることができる。これにより、既設設備を破損することなく、パネル壁１の組み付け、撤去を低コストで迅速に行うことができる。
【００４８】
なお、調整ボルト３０を伸長させた後は、前述の回り止めナット２９を回転して回り止めナット２９の下面を固定ナット２８の上面に当接することにより、調整ボルト３０が回転しないようにして、ボルト伸縮長３３を一定長さに保持するようにしている。
【００４９】
更に、突張り固定具２２によってユニット枠体１０が突張り支持された状態では、天井壁５と介装部材２４との間の防振シート２５、介装部材２４と台座盤３２との間の防振盤２３、及び横枠材３５と床壁６との間の防振シート３５のいずれも、加圧され、ユニット枠体１０と壁５、６との間に圧縮状態で介設されている。
【００５０】
これにより、これらの防振シート２５、３５、防振盤２３を、壁５、６からの振動を吸収しつつユニット枠体１０を壁５、６間に支持する防振部材として機能させることができ、防振構造を防振部材として取付け機構９内に一体的に組み込むことが可能となる。
【００５１】
また、図４、図５に示すように、パネル部材１７における連結機構１４では、ユニット枠体１０の左の縦枠材３７（ここでは「縦枠材３７Ｌ」とする）の前部からパネル部材１７の左側の縦辺である左辺縁部１７ｂにかけて、ヒンジ具３８が介設されている。更に、このヒンジ具３８に対向するようにして、ユニット枠体１０の右の縦枠材３７（ここでは「縦枠材３７Ｒ」とする）の前部からパネル部材１７の右側の縦辺である右辺縁部１７ｃにかけて、係止具３９が介設されている。
【００５２】
そして、このヒンジ具３８と係止具３９とから成る連結機構１４は、内部空間１２毎に１個ずつ設けられており、パネル部材１７は、図２に示すように上下方向に配置された３組のヒンジ具３８と係止具３９とから成る連結機構１４によって、ユニット枠体１０の枠体前面１０ａの近傍に着脱可能に取り付けられている。なお、他のパネル部材１６、１８、１９も同じ連結機構１４によって取り付けられている。
【００５３】
このうちのヒンジ具３８においては、縦枠材３７Ｌの内側面３７Ｌａに、図示せぬ摺動溝を有し前後方向に長いガイドフレーム３８ａが固設される一方、パネル部材１７の内側面１７ａで左辺縁部１７ｂの近傍には、回動フレーム３８ｃが固設されている。
【００５４】
そして、この回動フレーム３８ｃには、上下方向に支軸ピン４０が横架され、この支軸ピン４０には、前後方向に長い矩形状の摺動フレーム３８ｂの前端部が水平回動自在に支持されると共に、同摺動フレーム３８ｂの後半部は、前述のガイドフレーム３８ａの摺動溝上を前後摺動して所定位置に保持されるようにしている。
【００５５】
前述の係止具３９は、縦枠材３７Ｒの内側面３７Ｒａの前部に固設された前面視Ｕ字状の被係止部材３９ａと、パネル部材１７の右辺縁部１７ｃに固設された内側に凸状の係止部材３９ｂとから構成され、この係止部材３９ｂを被係止部材３９ａ内に挿嵌することで、パネル部材１７の右辺縁部１７ｃを縦枠材３７Ｒに係止できるようにしている。
【００５６】
このような構成において、まず、図４に示すように、パネル部材１７を、パネル部材１７の面内方向とヒンジ具３８の摺動フレーム３８ｂの長手方向のいずれも前後方向となるように、ユニット枠体１０の前方の位置４１に配置する。
【００５７】
続いて、パネル部材１７を矢印４５に沿って移動させ、パネル部材１７に設けた摺動フレーム３８ｂの後半部を、縦枠材３７Ｌのガイドフレーム３８ａの図示せぬ摺動溝に、前から前後摺動可能に係合させ、パネル部材１７を図４に示す位置４２に設定する。
【００５８】
その後、図５に示すように、パネル部材１７を、前述の支軸ピン４０を中心に、位置４２から位置４３を経由して位置４４まで、矢印４６のように閉方向に略９０度回転させる。この間、摺動フレーム３８ｂはガイドフレーム３８ａに一体化された状態で、縦枠材３７Ｌの内側面３７Ｌａに固定されている。
【００５９】
位置４４まで回転したパネル部材１７では、その係止部材３９ｂが、縦枠材３７Ｒの内側面３７Ｒａの被係止部材３９ａに挿嵌されて固定され、パネル部材１７がユニット枠体１０に装着される。
【００６０】
逆に、パネル部材１７をユニット枠体１０から取り外す場合は、パネル部材１７の右辺縁部１７ｃを把持して前方に引き出し、右辺縁部１７ｃの係止部材３９ｂをユニット枠体１０の被係止部材３９ａから係脱させる。
【００６１】
続いて、左辺縁部１７ｂの支軸ピン４０を中心にしてパネル部材１７を矢印４６と反対の開方向に回転し、パネル部材１７の面内方向とヒンジ具３８の摺動フレーム３８ｂの長手方向のいずれも前後方向となるまで開いて位置４２に設定する。
【００６２】
その後、パネル部材１７を把持して前方に引くと、摺動フレーム３８ｂの後半部がガイドフレーム３８ａの図示せぬ摺動溝に沿うようにして、パネル部材１７が前方に引き出される。
【００６３】
このようにして、ヒンジ具３８によって、下地体１１を挟んで左辺縁部１７ｂをユニット枠体１０に水平回動可能かつ取付け可能に連結し、係止具３９によって、下地体１１を挟んで右辺縁部１７ｃをユニット枠体１０に着脱可能に連結することができる。このため、複雑な構造を設けることなく、ヒンジ具３８と係止具３９のみから成る簡単な構成で、縦長矩形状のパネル部材１６、１７、１８、１９は、それぞれの前後摺動と水平回動により、ユニット枠体１０からの個別着脱が可能となる。
【００６４】
また、図３、図６に示すように、このような連結機構１４は、前述の取付け機構９の防振部材である防振シート２５、３５、防振盤２３に対し、次のような位置関係に設定されている。
【００６５】
すなわち、全てのパネル部材１６、１７、１８、１９をユニット枠体１０に取り付けた状態において、連結機構１４のヒンジ具３８を通過すると共に、天井壁５、床壁６の壁面に直交する第１ライン４８が、防振シート２５、３５、防振盤２３のいずれも通過するようにしている。
【００６６】
更に、連結機構１４の係止具３９を通過すると共に、天井壁５、床壁６の壁面に直交する第２ライン４９が、防振盤２３は、その近傍しか通過しないものの、防振シート２５、３５は、常に通過するようにしている。
【００６７】
これにより、防振部材である防振シート２５、３５、防振盤２３の少なくとも一つを、連結機構１４を通過するライン４８、４９上またはその近傍に配置することができ、天井壁５、床壁６からの振動が連結機構１４に伝達される前に、この振動を防振部材に予め吸収させ、連結機構１４に作用する振動負荷を軽減し、地震による連結機構１４の激しい損傷を防止することができる。
【００６８】
また、図１、図２に示すように、パネル体１３が前述の連結機構１４によってユニット枠体１０に取り付けられた状態において、パネル体１３の中のパネル部材１７の正面視略中央部には、円形であって配線等を通すための挿通孔１７ｄが前後方向に貫通して形成されると共に、この挿通孔１７ｄは、前述の下地体１１で矩形板１１ｂと１１ｃ間に形成された連結隙間１５ｂの前方に配置されている。
【００６９】
このような構成において、前述の如く、パネル体１３の外側に壁掛け金具２１によって掛けられたテレビ２０からは、電源コードや録画機器への通信線等の配線４７が延出され、この配線４７は、パネル部材１７の挿通孔１７ｄから連結隙間１５ｂを通り、ユニット枠体１０の内側に形成された内部空間１２に、内蔵部材として挿入されて収納される。同時に、この内部空間１２には、前述の如く、ヒンジ具３８と係止具３９が対向して配置された１個の連結機構１４も配置されている。
【００７０】
すなわち、各内部空間１２が、連結機構１４の少なくとも一部を配設するための配置機能と、パネル体１３の外側からユニット枠体１０の内側にかけて配線４７等の内蔵部材を挿入して収納するための収納機能とを兼備する多機能空間として形成されている。
【００７１】
このため、パネル壁１に複雑な構造を設けることなく、連結機構１４と配線４７や装置等の内蔵部材を共通の空間である内部空間１２に配置することができ、パネル壁１の製造コストの低減やメンテナンス性の向上を図ることができる。
【００７２】
次に、以上のような構成のパネル壁１を部屋２内に組み付ける組み付け作業、および所定のパネル部材のみを交換する交換作業の手順について、図１乃至図６により説明する。
【００７３】
パネル壁１の組み付け作業においては、初めに、図２（ａ）、図６に示すように、前述のユニット枠体１０の各内部空間１２で左右に配置された縦枠材３７の各内側面に、ヒンジ具３８のガイドフレーム３８ａと、係止具３９の被係止部材３９ａとを対向するように固設すると共に、前述の突張り固定具２２を、調整ボルト３０を回転してボルト伸縮長３３を短縮した状態で、ユニット枠体１０の枠体上面１０ｃに固定する。
【００７４】
そして、これらガイドフレーム３８ａ、被係止部材３９ａ、及び突張り固定具２２を取り付けたユニット枠体１０を、前述の如く、床壁６の上に敷いた防振シート３５の上に載置した後、左右に並設された５個の突張り固定具２２の最上部にある防振盤２３上に、介装部材２４と防振シート２５を下から順に積層する。それから、調整ボルト３０を回転してボルト伸縮長３３を伸長させることにより、ユニット枠体１０を天井壁５と床壁６との間に突張り支持させる。
【００７５】
続いて、図２（ｂ）に示すように、ユニット枠体１０の枠体前面１０ａに、前述した矩形板１１ａ、１１ｂ、１１ｃ、１１ｄを互いに上下方向に離間させて固着すると共に、この際に形成される連結隙間１５ａ、１５ｂ、１５ｃから、縦枠材３７に固定したガイドフレーム３８ａと被係止部材３９ａが、前方に露出された状態とする。
【００７６】
その後、図３（ａ）、図４、図５（ａ）に示すように、パネル部材１６、１７、１８、１９毎に、回動フレーム３８ｃに支軸ピン４０を介して連結された摺動フレーム３８ｂの後半部を、連結隙間１５ａ、１５ｂ、１５ｃを通して、各縦枠材３７のガイドフレーム３８ａの図示せぬ摺動溝に、前から前後摺動可能に係合させて所定位置で保持させる。
【００７７】
それから、パネル部材１６、１７、１８、１９は、支軸ピン４０を中心に後方に回転させる。詳しくは、パネル部材１６、１７、１８は、左側の縦枠材３７（図４、５では３７Ｌ）の支軸ピン４０を中心に後方に回転させ、パネル部材１９は右側の縦枠材３７（図４、５では３７Ｒ）の支軸ピン４０を中心に後方に回転させる。これにより、所定のパネル部材、本実施例ではパネル部材１９のみ、開き方向を逆にすることができ、様々な仕様に対応可能なパネル壁１を製造できるようにしている。
【００７８】
最後に、図１、図２（ｂ）、図３（ｂ）、図５（ｂ）に示すように、パネル部材１６、１７、１８、１９毎に、その内側面１６ａ、１７ａ、１８ａ、１９ａを、矩形板１１ａ、１１ｂ、１１ｃ、１１ｄの前面１１ａ１、１１ｂ１、１１ｃ１、１１ｄ１に当接させると共に、その係止部材３９ｂを、縦枠材３７に固設した被係止部材３９ａに挿嵌させて固定し、全てのパネル部材１６、１７、１８、１９をユニット枠体１０に装着する。
【００７９】
それから、パネル部材１６、１７、１８、１９から成るパネル体１３の前面１３ａの正面視略中央部に、前述の壁掛け金具２１を締結固定し、この壁掛け金具２１にテレビ２０を掛止すると共に、テレビ２０からの配線４７を、前述の如く、パネル部材１７の挿通孔１７ｄから連結隙間１５ｂを通り内部空間１２に挿入されて収納される。
【００８０】
また、パネル部材１７のみを取り外して、図１に示すように挿通孔１７ｄのないパネル部材１７Ａに交換する交換作業においては、初めに、前述したように図４、図５に示した手順とは逆の手順により、パネル部材１７を把持して前方に引いて、摺動フレーム３８ｂの後半部がガイドフレーム３８ａの図示せぬ摺動溝に沿うようにして、パネル部材１７を前方に引き出す。
【００８１】
続いて、前述した図４、図５に示す手順により、パネル部材１７Ａを移動させ、このパネル部材１７Ａに設けた摺動フレーム３８ｂを、縦枠材３７Ｌのガイドフレーム３８ａの図示せぬ摺動溝に係合させ、その後、支軸ピン４０を中心に、パネル部材１７Ａを回転し、その係止部材３９ｂを被係止部材３９ａに挿嵌して固定し、新たなパネル部材１７Ａをユニット枠体１０に装着するのである。
【００８２】
次に、以上述べたパネル壁１の別形態のパネル壁１Ａについて、図４乃至図８により説明する。
このパネル壁１Ａは、前述の縦長矩形状で水平回動等によって個別着脱が可能なパネル部材１６、１７、１８、１９に替え、横長矩形状で垂直回動等によって個別着脱が可能なパネル部材６１、６２、６３、６４、６５を用いたものであり、天井高さが高くてパネル部材の長さが足りない場合や、パネル部材間の切れ目を左右方向とした壁面デザインが求められる場合等に対応できるようにしたものである。
【００８３】
そして、このパネル壁１Ａも、パネル壁１と同様、所定のユニット枠体５０と、このユニット枠体５０の側面である枠体前面５０ａの近傍に配置されると共に、互いに分離可能な複数のパネル部材６１、６２、６３、６４、６５を上下方向に並設して構成されるパネル体５３と、前述のユニット枠体５０を、天井壁５と床壁６との間に、既設設備を破損することなく取付け取外し可能に配置する前述と同じ取付け機構９と、ユニット枠体５０とパネル体５３間に介設されると共に、ユニット枠体５０からのパネル体５３の着脱を可能にする前述と同じ連結機構１４とを備えている。
【００８４】
詳しくは、図７（ａ）に示すように、取付け機構９によって天井壁５と床壁６との間に突張り支持されたユニット枠体５０は、前述のユニット枠体１０と同様、本数は異なるものの断面視矩形状の複数の横枠材５６と縦枠材５７が格子状に組み合わされて構成されると共に、両枠材５６、５７により、正面視矩形状の内部空間５２が、縦５列横３列で計１５個形成されている。
【００８５】
図７（ｂ）に示すように、下地体５１も、前述の下地体１１と同様、幅の異なる複数の矩形板５１ａ、５１ｂ、５１ｃ、５１ｄより構成され、これらは右から順に並設されている。そして、各矩形板５１ａ、５１ｂ、５１ｃ、５１ｄが、長辺が上下方向となるようにして左右方向に所定の間隔を設けた上で、枠体前面５０ａに並列に固着されている。
【００８６】
更に、このような、矩形板５１ａと５１ｂ間、矩形板５１ｂと５１ｃ間、矩形板５１ｃと５１ｄ間には、それぞれ、連結機構１４を設置するための連結隙間５５ａ、５５ｂ、５５ｃが形成されている。
【００８７】
図８に示すように、パネル体５３は、前述のパネル体１３とは異なり、互いに分離可能な複数の横長矩形状のパネル部材６１、６２、６３、６４、６５から成り、それぞれの上下の各辺縁部６１ｂ、６１ｃ、６２ｂ、６２ｃ、６３ｂ、６３ｃ、６４ｂ、６４ｃ、６５ｂ、６５ｃが左右方向となるように、上下方向に隙間なく並設されるようにして構成される。
【００８８】
そして、このようなパネル部材６１、６２、６３、６４、６５の内側面６１ａ、６２ａ、６３ａ、６４ａ、６５ａが、下地体５１の矩形板５１ａ、５１ｂ、５１ｃ、５１ｄの前面５１ａ１、５１ｂ１、５１ｃ１、５１ｄ１に、それぞれ当接支持されるようにしている。
【００８９】
図７、図８に示すように、連結機構１４も、ユニット枠体５０の内部空間５２毎に１個ずつ設けられているが、各パネル部材６１、６２、６３、６４、６５は、前述のパネル壁１とは異なり、左右方向に配置された３組のヒンジ具３８と係止具３９とから成る連結機構１４によって、ユニット枠体５０の枠体前面５０ａの近傍に着脱可能に取り付けられている。
【００９０】
以上のような構成のパネル壁１Ａの組み付け作業においても、初めに、図６、図７（ａ）に示すように、各内部空間５２で上下に配置された横枠材５６の各内側面に、ヒンジ具３８のガイドフレーム３８ａと、係止具３９の被係止部材３９ａとを対向するように固設すると共に、突張り固定具２２を、ボルト伸縮長３３を短縮した状態でユニット枠体５０の枠体上面５０ｃ上に固定する。
【００９１】
そして、これらガイドフレーム３８ａ、被係止部材３９ａ、及び突張り固定具２２を取り付けたユニット枠体５０を、床壁６の上の防振シート３５の上に載置後、並設された５個の突張り固定具２２の防振盤２３上に、介装部材２４と防振シート２５を下から順に積層する。それから、調整ボルト３０を回転してボルト伸縮長３３を伸長させ、ユニット枠体１０を天井壁５と床壁６との間に突張り支持させる。
【００９２】
続いて、図７（ｂ）に示すように、ユニット枠体５０の枠体前面５０ａに、前述の下地体５１を固着すると共に、連結隙間５５ａ、５５ｂ、５５ｃから、横枠材５６に固定したガイドフレーム３８ａと被係止部材３９ａが、前方に露出された状態とする。
【００９３】
その後、図４、図８（ａ）に示すように、パネル部材６１、６２、６３、６４、６５毎に、回動フレーム３８ｃに支軸ピン４０を介して連結された摺動フレーム３８ｂの後半部を、連結隙間５５ａ、５５ｂ、５５ｃを通して、各横枠材５６のガイドフレーム３８ａの図示せぬ摺動溝に、前から前後摺動可能に係合させて所定位置で保持する。それから、パネル部材６１、６２、６３、６４、６５を、横枠材５６の支軸ピン４０を中心に後方に回転させる。
【００９４】
最後に、図５、図８（ｂ）に示すように、パネル部材６１、６２、６３、６４、６５毎に、その内側面６１ａ、６２ａ、６３ａ、６４ａ、６５ａを、矩形板５１ａ、５１ｂ、５１ｃ、５１ｄの前面５１ａ１、５１ｂ１、５１ｃ１、５１ｄ１に当接させると共に、その係止部材３９ｂを、横枠材５６に固設した被係止部材３９ａに挿嵌させて固定し、全てのパネル部材６１、６２、６３、６４、６５をユニット枠体５０に装着する。
【００９５】
逆に、これらのパネル部材６１、６２、６３、６４、６５のうち、例えば挿通孔６３ｄが形成されたパネル部材６３を、挿通孔６３ｄが形成されていない図示せぬパネル部材に交換すべく、パネル部材６３をユニット枠体５０から取り外す場合は、パネル壁１と同様、図４、図５に示した手順とは逆の手順により、パネル部材６３の下辺縁部６３ｃを把持して前方に引き出し、下辺縁部６３ｃの係止部材３９ｂをユニット枠体５０の被係止部材３９ａから係脱させる。
【００９６】
続いて、上辺縁部６３ｂの支軸ピン４０を中心にしてパネル部材６３を開方向である垂直上方に回転し、パネル部材６３の面内方向とヒンジ具３８の摺動フレーム３８ｂの長手方向のいずれも前後方向となるまで開く。
【００９７】
その後、パネル部材６３を把持して前方に引くと、摺動フレーム３８ｂの後半部がガイドフレーム３８ａの図示せぬ摺動溝に沿うようにして、パネル部材６３が前方に引き出される。
【００９８】
このようにして、横長矩形状のパネル部材６１、６２、６３、６４、６５より構成されるパネル壁１Ａについても、パネル部材毎の前後摺動と垂直回動により、ユニット枠体５０からの個別着脱が可能となる。
【００９９】
また、パネル壁１Ａにおいても、図８（ｂ）に示すように、全てのパネル部材６１、６２、６３、６４、６５をユニット枠体５０に取り付けた状態においては、連結機構１４のヒンジ具３８と係止具３９を通過すると共に、天井壁５、床壁６の壁面に直交する第３ライン５４が、防振盤２３については、その近傍しか通過しないものの、防振シート２５、３５については、その上を常に通過するようにしている。
【０１００】
これにより、防振部材である防振シート２５、３５、防振盤２３の少なくとも一つを、連結機構１４を通過する第３ライン５４上またはその近傍に配置することができる。
【０１０１】
以上のように、パネル壁１では、パネル部材１６、１７、１８、１９をユニット枠体１０から着脱可能とし、別形態のパネル壁１Ａでは、パネル部材６１、６２、６３、６４、６５をユニット枠体５０から着脱可能としており、いずれのパネル壁１、１Ａにおいても、ユニット枠体から全てのパネル部材を着脱することができる。これにより、壁面デザインや内部構造の変更、壁補強、及び壁補修を要するパネル部材がいずれであっても交換することができ、様々な仕様に対応可能としている。
【０１０２】
これに対し、特定のパネル部材、例えば、パネル壁１で挿通孔１７ｄが形成されたパネル部材１７や、パネル壁１Ａで挿通孔６３ｄが形成されたパネル部材６３の如く、壁面デザインや内部構造の変更、壁補強、及び壁補修を行う予定のあるパネル部材のみを、ユニット枠体から着脱可能とし、その他のパネル部材については、ユニット枠体１０、５０に固設するようにしてもよい。
【０１０３】
これにより、ユニット枠体１０、５０に着脱可能とするパネル部材を減少させ、連結機構１４の数を減らしたり、ユニット枠体１０、５０等への連結機構１４の取り付け作業を省いたりすることができ、部品数の低減による部品コストの低減、メンテナンス性の向上、及びパネル壁１、１Ａの組み付け時の作業性の向上を図ることができる。
【０１０４】
以上のように、本発明を適用した壁体ユニットは、部屋の壁等の既設設備を破損することなく、部屋の間取りの変更、壁面デザインや内部構造の変更、壁補強、及び壁補修が可能であり、加えて部分的な壁面デザインの変更、壁補強、及び壁補修も可能なものとなっている。
【符号の説明】
【０１０５】
１、１Ａ  壁体ユニット。
５  天井壁（壁）
６  床壁（壁）
９  取付け機構
１０、５０  ユニット枠体
１０ａ、５０ａ  枠体前面（側面）
１１、５１  下地体
１１ａ１、１１ｂ１、１１ｃ１、１１ｄ１、５１ａ１、５１ｂ１、５１ｃ１、５１ｄ１  前面（他側面）
１１ａ２、１１ｂ２、１１ｃ２、１１ｄ２、５１ａ２、５１ｂ２、５１ｃ２、５１ｄ２  後面（一側面）
１２、５２  内部空間（多機能空間）
１３、５３  パネル体
１４  連結機構
１５ａ、１５ｂ、１５ｃ、５５ａ、５５ｂ、５５ｃ  連結隙間
１６、１７、１８、１９、６１、６２、６３、６４、６５  パネル部材
１６ａ、１７ａ、１８ａ、１９ａ、６１ａ、６２ａ、６３ａ、６４ａ、６５ａ  内側面
１６ｂ、１７ｂ、１８ｂ、１９ｂ  左辺縁部（辺縁部）
１６ｃ、１７ｃ、１８ｃ、１９ｃ  右辺縁部（辺縁部）
２３  防振盤（防振部材）
２５  防振シート（防振部材）
２６  固定プレート（ユニット側部材）
３０  調整ボルト（軸体）
３２  台座盤（壁側部材）
３５  防振シート（防振部材）
３８  ヒンジ具
３９  係止具
４７  配線（内蔵部材）
４８  第１ライン（ライン）
４９  第２ライン（ライン）
５４  第３ライン（ライン）
６１ｂ、６２ｂ、６３ｂ、６４ｂ、６５ｂ  上辺縁部（辺縁部）
６１ｃ、６２ｃ、６３ｃ、６４ｃ、６５ｃ  下辺縁部（辺縁部）
【図１】
2017218736.tif 000003
【図２】
2017218736.tif 000004
【図３】
2017218736.tif 000005
【図４】
2017218736.tif 000006
【図５】
2017218736.tif 000007
【図６】
2017218736.tif 000008
【図７】
2017218736.tif 000009
【図８】
2017218736.tif 000010